(57)【要約】【課題】  本発明は、音声認識をさせて、文書などを出力させるとき、言葉だけで、様々な形式の文書を作成させる。【解決手段】  音声入力部１０１または音声データ入力部１０２に対し、プリントアウトさせたい文書内容を示す言葉とともに、文書スタイル、文字色、文字サイズ、文字種、改行などを示す言葉（処理コマンド）が入力されたとき、処理コマンド／データ識別部１０５によって、文書中の処理コマンドを識別させ、処理コマンド認識部１０６、コマンド処理部１１４に処理コマンドに対応させた処理を行わせ、出力部１０８から処理コマンドに応じた、文書スタイル、文字色、文字サイズ、文字種、改行などが施した文書を出力させる。【選択図】  図１
2005092813.tif 000002
【特許請求の範囲】
【請求項１】
音声情報を解析して、文字コードを生成する音声情報処理システムにおいて、
入力された音声情報を音声認識して、文字コード列に変換する音声認識手段と、
文書作成のために必要な改行、空行、改頁、空欄の少なくともいずれかに対応する処理コマンドが登録され、前記音声認識手段から出力される文字コード列を前記処理コマンドとそれ以外の文書データとに分離する文字コード識別手段と、
この文字コード識別手段から出力される前記処理コマンドと前記文書データとに基づき、文書データを作成する出力手段と、
を備えたことを特徴とする音声情報処理システム。
【請求項２】
請求項１に記載の音声情報処理システムにおいて、
各処理に対応する処理コマンドに対する同義語を登録し、前記文字コード列中に前記同義語と同じ文字コードがあるとき、前記文書データに対し、前記処理コマンドを検知したときと同じ処理を施す、
ことを特徴とする音声情報処理システム。
【請求項３】
請求項１、２のいずれかに記載の音声情報処理システムにおいて、
文字色、文字サイズ、文字種の少なくともいずれかを示すキーワードを登録し、前記文字コード列中にキーワードがあるとき、前記文書データに対し、キーワードに応じた処理を施す、
ことを特徴とする音声情報処理システム。
【請求項４】
請求項１、２、３のいずれかに記載の音声情報処理システムにいて、
前記音声情報が複数の人が各々、発生した音声情報であるとき、各人の特徴に基づき、前記音声情報を各人毎に分離するとともに、前記文書データに対し、各人毎に指定された文字色、サイズ、文字種にする処理、あるいは音声部分をシークレット化する処理のいずれかを施す、
ことを特徴とする音声情報処理システム。
【発明の詳細な説明】
【技術分野】
【０００１】
本発明は、カーナビゲーション、ボイスレコーダ装置などの入力装置として使用される音声情報処理システムに関する。
【背景技術】
【０００２】
入力された音声情報を処理する音声情報処理システムとして、従来、マイクロホンなどを介して入力された音声情報を音声認識処理して、文書データを生成するボイスレコーダ装置やマイクロホンなどを介して入力された音声情報を音声認識、コマンド解析して、道案内処理などを行うカーナビゲーションなどが知られている。
【発明の開示】
【発明が解決しようとする課題】
【０００３】
ところで、このようなカーナビゲーション、ボイスレコーダ装置などの入力装置として使用される従来の音声情報処理システムでは、音声情報を音声認識処理して、文書データまたはコマンドのいずれかを出力するだけの機能しか持っていないことから、音声入力によって、様々な書式の文書を作成することができないという問題があった。
本発明は上記の事情に鑑み、請求項１では、音声情報中に含まれた処理コマンド部分と文書部分とを区別させて、処理コマンドにより指示された書式の文書を作成させることができる音声情報処理システムを提供することを目的としている。
また、請求項２では、入力された音声情報が処理コマンドと完全に一致していないときでも、同じ意味を持つ処理コマンドと同じ文書を作成させて、曖昧な言葉でも、意図した文書を作成させることができる音声情報処理システムを提供することを目的としている。
また、請求項３では、文書内容を音声入力するとき、キーワードで文字色、文字サイズ、文字種などを指定させて、様々な書式の文書を作成させることができる音声情報処理システムを提供することを目的としている。
また、請求項４では、複数人の音声入力であっても、各人の特徴をとらえ、各人が音声入力した文書内容を区別可能なように出力させることができる音声情報処理システムを提供することを目的としている。
【課題を解決するための手段】
【０００４】
上記の目的を達成するために本発明は、請求項１では、音声情報を解析して、文字コードを生成する音声情報処理システムにおいて、入力された音声情報を音声認識して、文字コード列に変換する音声認識手段と、文書作成のために必要な改行、空行、改頁、空欄の少なくともいずれかに対応する処理コマンドが登録され、前記音声認識手段から出力される文字コード列を前記処理コマンドとそれ以外の文書データとに分離する文字コード識別手段と、この文字コード識別手段から出力される前記処理コマンドと前記文書データとに基づき、文書データを作成する出力手段とを備えたことを特徴としている。
また、請求項２では、請求項１に記載の音声情報処理システムにおいて、各処理に対応する処理コマンドに対する同義語を登録し、前記文字コード列中に前記同義語と同じ文字コードがあるとき、前記文書データに対し、前記処理コマンドを検知したときと同じ処理を施すことを特徴としている。
また、請求項３では、請求項１、２のいずれかに記載の音声情報処理システムにおいて、文字色、文字サイズ、文字種の少なくともいずれかを示すキーワードを登録し、前記文字コード列中にキーワードがあるとき、前記文書データに対し、キーワードに応じた処理を施すことを特徴としている。
また、請求項４では、請求項１、２、３のいずれかに記載の音声情報処理システムにいて、前記音声情報が複数の人が各々、発生した音声情報であるとき、各人の特徴に基づき、前記音声情報を各人毎に分離するとともに、前記文書データに対し、各人毎に指定された文字色、サイズ、文字種にする処理、あるいは音声部分をシークレット化する処理のいずれかを施すことを特徴としている。
【０００５】
上記の構成において、請求項１では、音声情報を解析して、文字コードを生成する音声情報処理システムにおいて、音声認識手段によって、入力された音声情報を音声認識させて、文字コード列に変換させるとともに、文書作成のために必要な改行、空行、改頁、空欄の少なくともいずれかに対応する処理コマンドが登録された文字コード識別手段によって、前記音声認識手段から出力される文字コード列を前記処理コマンドとそれ以外の文書データとに分離させた後、前記処理コマンドと前記文書データとに基づき、出力手段から記処理コマンドと、前記文書データとに対応した文書を出力させることにより、音声情報中に含まれた処理コマンド部分と文書部分とを区別させて、処理コマンドにより指示された書式の文書を作成させる。
また、請求項２では、請求項１に記載の音声情報処理システムにおいて、各処理に対応する処理コマンドに対する同義語を登録させ、前記文字コード列中に前記同義語と同じ文字コードがあるとき、前記文書データに対し、前記処理コマンドを検知したときと同じ処理を施させることにより、入力された音声情報が処理コマンドと完全に一致していないときでも、同じ意味を持つ処理コマンドと同じ文書を作成させて、曖昧な言葉でも、意図した文書を作成させる。
また、請求項３では、請求項１、２のいずれかに記載の音声情報処理システムにおいて、文字色、文字サイズ、文字種の少なくともいずれかを示すキーワードを登録させ、前記文字コード列中にキーワードがあるとき、前記文書データに対し、キーワードに応じた処理を施させることにより、文書内容を音声入力するとき、キーワードで文字色、文字サイズ、文字種などを指定させて、様々な書式の文書を作成させる。
また、請求項４では、請求項１、２、３のいずれかに記載の音声情報処理システムにいて、前記音声情報が複数の人が各々、発生した音声情報であるとき、各人の特徴に基づき、前記音声情報を各人毎に分離させるとともに、前記文書データに対し、各人毎に指定された文字色、サイズ、文字種にする処理、あるいは音声部分をシークレット化する処理のいずれかを施させることにより、複数人の音声入力であっても、各人の特徴をとらえ、各人が音声入力した文書内容を区別可能なように出力させる。
【発明の効果】
【０００６】
本発明によれば、請求項１の音声情報処理システムでは、音声情報中に含まれた処理コマンド部分と文書部分とを区別させて、処理コマンドにより指示された書式の文書を作成させることができる。
また、請求項２の音声情報処理システムでは、入力された音声情報が処理コマンドと完全に一致していないときでも、同じ意味を持つ処理コマンドと同じ文書を作成させて、曖昧な言葉でも、意図した文書を作成させることができる。
また、請求項３の音声情報処理システムでは、文書内容を音声入力するとき、キーワードで文字色、文字サイズ、文字種などを指定させて、様々な書式の文書を作成させることができる。
また、請求項４の音声情報処理システムでは、複数人の音声入力であっても、各人の特徴をとらえ、各人が音声入力した文書内容を区別可能なように出力させることができる。
【発明を実施するための最良の形態】
【０００７】
図１は、本発明による音声情報処理システムのうち、請求項１、２、３に対応する一形態を示す構成ブロック図である。
この図に示す音声情報処理システムは、音声入力部１０１と、音声データ入力部１０２と、メモリ１０３と、音声認識部１０４と、処理コマンド／データ識別部１０５と、コマンド処理部１１４と、キーワード処理部１１５と、処理コマンド認識部１０６と、印字データ作成部１０７と、出力部１０８とを備えており、処理対象となる音声情報を音声認識して、音声情報に含まれている処理コマンドを認識し、この認識結果に基づき、音声情報に含まれている文書内容を処理して、指定された文字色、文字サイズで構成される文書を出力する。
音声入力部１０１は、音声を取り込んで音声信号を生成するマイクロホン、このマイクロホンから出力される音声信号をデジタル化して、音声情報を生成する量子化回路などを備えており、音声が入力されたとき、これを取り込んで音声情報を生成して、メモリ１０３に供給する。
また、音声データ入力部１０２は、デジタルデータを読み出すＭＤ装置、ＣＤ装置、あるいは音声情報を直接、取り込むデジタル音声入力端子などを備えており、予めデジタル化された音声情報を取り込み、これをメモリ１０３に供給する。
メモリ１０３は、半導体メモリ、ハードディスクなどの記憶装置を備えており、音声入力部１０１、音声データ入力部１０２から出力される音声情報を取り込んで一時記憶しながら、一時記憶している音声情報を音声認識部１０４に供給する。
音声認識部１０４は、各種の処理を行うマイクロコンピュータなどを備えており、メモリ１０３から出力される音声情報を音声認識処理して、文字コードを生成し、これを処理コマンド／データ識別部１０４に供給する。
【０００８】
処理コマンド／データ識別部１０４は、各種の処理を行うマイクロコンピュータなどを備えており、予め登録されている処理コマンド、例えば、文書作成のためのとして、“かいぎょう”、“かいぺいじ”という処理コマンドを示すコードに基づき、音声認識部１０４から順次、出力される文字コードを処理コマンド、または文書データのいずれかに分類し、処理コマンド認識部１０６に供給する。
この際、文書中に“かいぎょう”、“かいぺいじ”という言葉をコマンドとして扱わないで文書として扱うこともあり得ることから、図２に示す如くコマンドを容易にを認識する方法として、コマンドを入力する前にコマンド認識用語として“めいれい”という言葉、あるいは他の言葉などを付加させて音声情報を入力させ、図３に示す如く“めいれい”という言葉の後に続く、文字コードが処理コマンドに対応するコードであるとき、これを処理コマンドと認識させる。
また、コマンド処理部１１４は、各処理コマンドとこれら各処理コマンドに対応する処理内容とが対にされて登録されたコマンド情報登録部１０９と、図４に示すごとく各処理コマンドの同義語と対応する処理内容とが登録された同義コマンド登録部１１０と、処理コマンド認識部１０６から出力される処理コマンドがコマンド情報登録部１０９に登録されている各処理コマンド、または同義コマンド登録部１１０に登録されている各同義語のいずれに対応するかどうかをチェックし、これら各処理コマンド、または各同義語のいずれかに対応するとき、文字色、文字サイズ、改行、改頁、空欄などを示す制御コードを生成する対応処理部１１１とを備えており、処理コマンド認識部１０６から出力される処理コマンドが予め登録されている各処理コマンド、または各同義語のいずれかに対応するとき、文字色、文字サイズ、改行、改頁、空欄などを指定する制御コードを生成し、これを処理コマンド認識部１０６に供給する。
【０００９】
また、キーワード処理部１１５は、図５に示す如く各キーワードとこれら各キーワードに対応する処理内容とが登録されたキーワード登録部１１３と、処理コマンド認識部１０６から出力される文書データ中の各文字コードがキーワード登録部１１３に登録されている各キーワードのいずれかに対応する文字コードかどうかをチェックし、各キーワードのいずれかに対応するとき、ハッチ、文字色、文字サイズなどを示す制御コードを生成する対応処理部１１２とを備えており、処理コマンド認識部１０６から出力される文書データ中の各文字コードが予め登録されている各キーワードのいずれかに対応するとき、ハッチ、文字色、文字サイズなどを指定する制御コードを生成し、これを処理コマンド認識部１０６に供給する。
処理コマンド認識部１０６は、各種の処理を行うマイクロコンピュータなどを備えており、処理コマンド／データ識別部１０４から出力される処理コマンドをコマンド処理部１１４に供給して、文書データの文字色、文字サイズなどの処理を行わせるとともに、キーワードが有効にされているとき、文書データをキーワード処理部１１５に供給して、キーワード処理を行わせ、これらの処理が終了した文書データを印字データ作成部１０７に供給する。
印字データ作成部１０７は、各種の処理を行うマイクロコンピュータなどを備えており、処理コマンド認識部１０６から出力される文書データに含まれている各制御コードと、各文字コードとに基づき、印字コードを生成し、これを出力部１０８に供給する。
出力部１０８は、カラープリンタ機構などを備えており、印字データ作成部１０７から出力される印字データに基づき、キーワードが有効にされていないとき、カラープリント処理を行って、図６、図７に示す文書を出力し、またキーワードが有効にされているとき、カラープリント処理を行って、“本日”部分をハッチさせ、“晴天”部分を赤色にし、さらに“雨天”部分を大きくさせた、図８に示す文書を出力する。
【００１０】
このように、この形態では、プリントアウトさせたい文書内容を示す言葉とともに、文書スタイル、文字色、文字サイズ、文字種、改行などを示す言葉（処理コマンド）が入力されたとき、文書内容とともに入力された処理コマンドを識別して、指定された処理を行うようにしているので、言葉だけで、様々な書式の文書を作成させることができる（請求項１の効果）。
また、この形態では、複数の処理コマンドとともに、これら各処理コマンドに対応する複数の同義語を登録させ、音声情報を音声認識して得られた文字コードが処理コマンドに対応する同義語であるとき、処理コマンドが入力されたときと同じ処理を行うようにしているので、人が処理コマンドに似た言葉で、処理内容を入力したときにも、これを認識させて、意図した文書を出力させることができる（請求項２の効果）。
また、この形態では、複数のキーワードを登録させ、音声情報を音声認識して得られる文字コードが予め登録されているキーワードであるとき、これを検出して、キーワードに割り当てられた処理を行うようにしているので、“本日”などの文字にハッチング処理を行うとともに、“晴天”などの文字を赤色にさせ、さらに“雨天”などの文字を拡大文字にさせ、より読み易い形式の文書を出力させることができる（請求項３の効果）。
【００１１】
図９は本発明による音声情報処理システムのうち、請求項４に対応する一形態を示す構成ブロック図である。
この図に示す音声情報処理システムは、音声入力部４０１と、音声データ入力部４０２と、メモリ４０３と、特徴抽出部４０４と、音声認識部４０５と、対応処理部４０７と、処理コマンド認識部４０６と、印字データ作成部４０８と、出力部４０８とを備えており、処理対象となる音声情報の特徴を抽出して、各人毎に音声情報を区分した後、音声認識して、各人毎に指定された文字色、文字サイズなどで構成される文書を出力する。
音声入力部４０１は、音声を取り込んで音声信号を生成するマイクロホン、このマイクロホンから出力される音声信号をデジタル化して、音声情報を生成する量子化回路などを備えており、音声が入力されたとき、これを取り込んで音声情報を生成して、メモリ４０３に供給する。
また、音声データ入力部４０２は、デジタルデータを読み出すＭＤ装置、ＣＤ装置、あるいは音声情報を直接、取り込むデジタル音声入力端子などを備えており、予めデジタル化された音声情報を取り込み、これをメモリ４０３に供給する。
メモリ１０３は、半導体メモリ、ハードディスクなどの記憶装置を備えており、音声入力部４０１、音声データ入力部４０２から出力される音声情報を取り込んで一時記憶しながら、一時記憶している音声情報を特徴抽出部４０４に供給する。
特徴抽出部４０４は、各種の処理を行うマイクロコンピュータなどを備えており、メモリ４０３から出力される音声情報の特徴を抽出するとともに、抽出結果と予め登録されている各人の音声特徴とを比較して、入力された音声情報がだれの声に対応する音声情報かを識別して、音声認識部４０５に供給する。
音声認識部４０５は、各種の処理を行うマイクロコンピュータなどを備えており、特徴抽出部４０４から出力される各人毎の音声情報を音声認識処理して、文字コードを生成しながら、各人毎の区分コードを付けて、処理コマンド認識部４０６に供給する。
また、対応処理部４０７は、各種の処理を行うマイクロコンピュータなどを備えており、処理コマンド認識部４０６から区分コードが供給されたとき、各人毎に予め登録されている処理内容、例えば図１０に示す如く“Ａ”という人に対する文字を黒色で表わし、また“Ｂ”という人に対する文字を青色で表し、また“Ｃ”という人に対する文字を赤色で表わすのに必要な制御コードを生成し、これを処理コマンド認識部４０６に供給する。
処理コマンド認識部４０６は、各種の処理を行うマイクロコンピュータなどを備えており、音声認識部４０５から出力される文字コードに付加された区分コードを対応処理部４０７に供給して、制御コードを取り込みながら、各区分コード毎に文字コードをまとめて文書データを生成した後、各文書データに制御コードを付加して、印字データ作成部４０７に供給する。
印字データ作成部４０７は、各種の処理を行うマイクロコンピュータなどを備えており、処理コマンド認識部４０６から出力される文書データに含まれる各文字コードと、文書データに付加された制御コードとに基づき、印字コードを生成し、これを出力部４０８に供給する。
出力部４０８は、カラープリンタ機構などを備えており、印字データ作成部４０７から出力される印字データに基づき、カラープリント処理を行って、図１１に示す如く“Ａ”という人に対する文字を黒色で表わし、また“Ｂ”という人に対する文字を青色で表し、また“Ｃ”という人に対する文字を赤色で表わした文書を出力する。
【００１２】
このように、この形態では、音声情報が複数の人が発生した音声情報であるとき、各人の特徴に基づき、音声情報を各人毎に分離して、各人毎に文字色を変えた文書を作成させるようにしているので、複数人の音声入力であっても、どの人がどのような発言をしたのかを区別可能な形式で出力させ、会議などの内容を容易にまとめさせることができる（請求項４の効果）。
また、この形態では、対応処理部４０７に図１０に示すような各人毎に文字色を示す制御コードを持たせて、各人毎に指定した文字色の文字で文書を出力させるようにしているが、他の区別化方法、例えば各人毎に文字サイズを変えさせたり、図１２に示す如く“Ａ”という人と、“Ｂ”という人に対して文書のヘッダのみを印字させ、また“Ｃ”という人に対して、文書をシークレット化させて、出力部４０９から図１３に示すような文書を出力させたりしても良い。
このようにしても、複数人の音声入力であっても、どの人がどのような発言をしたのかを区別可能な形式で出力させることができる（請求項４の効果）。
【図面の簡単な説明】
【００１３】
【図１】本発明による音声情報処理システムのうち、請求項１、２、３に対応する一形態を示す構成ブロック図である。
【図２】図１に示す音声情報処理システムに入力される音声情報例を示す模式図である。
【図３】図１に示す処理コマンド／データ識別部の処理コマンド認識結果例を示す模式図である。
【図４】図１に示す同義コマンド情報登録部に登録されるコマンド、同義コマンド例を示す模式図である。
【図５】図１に示すキーワード情報登録部に登録されるキーワード、処理例を示す模式図である。
【図６】図１に示す音声情報処理システムのキーワードが有効にされていない状態で、図２に示す音声情報が入力されたとき、出力部から出力される文書の一例を示す模式図である。
【図７】図１に示す音声情報処理システムのキーワードが有効にされていない状態で、図２に示す音声情報が入力されたとき、出力部から出力される文書の一例を示す模式図である。
【図８】図１に示す音声情報処理システムのキーワードが有効にされている状態で、図２に示す音声情報が入力されたとき、出力部から出力される文書の一例を示す模式図である。
【図９】本発明による音声情報処理システムのうち、請求項４に対応する一形態を示す構成ブロック図である。
【図１０】図９に示す対応処理部に登録される特徴、処理例を示す模式図である。
【図１１】図９に示す音声情報処理システムの出力部から出力される文書の一例を示す模式図である。
【図１２】本発明による音声情報処理システムのうち、他の形態で使用される特徴、処理例を示す模式図である。
【図１３】図１２に示す特徴、処理例を使用したとき、出力部から出力される文書の一例を示す模式図である。
【符号の説明】
【００１４】
１０１：音声入力部、１０２：音声データ入力部、１０３：メモリ、１０４：音声認識部（音声認識手段）、１０５：処理コマンド／データ識別部（文字コード識別手段）、１０６：処理コマンド認識部（文字コード識別手段）、１０７：印字データ作成部、１０８：出力部、１０９：コマンド情報登録部、１１０：同義コマンド登録部、１１１：対応処理部、１１２：対応処理部、１１３：キーワード登録部、１１４：コマンド処理部（文字コード識別手段）、１１５：キーワード処理部（文字コード識別手段）、４０１：音声入力部、４０２：音声データ入力部、４０３：メモリ、４０４：特徴抽出部、４０５：音声認識部（音声認識手段）、４０６：処理コマンド認識部（文字コード識別手段）、４０７：対応処理部、４０８：印字データ作成部、４０９：出力部
【図１】
2005092813.tif 000003
【図２】
2005092813.tif 000004
【図３】
2005092813.tif 000005
【図４】
2005092813.tif 000006
【図５】
2005092813.tif 000007
【図６】
2005092813.tif 000008
【図７】
2005092813.tif 000009
【図８】
2005092813.tif 000010
【図９】
2005092813.tif 000011
【図１０】
2005092813.tif 000012
【図１１】
2005092813.tif 000013
【図１２】
2005092813.tif 000014
【図１３】
2005092813.tif 000015